(57)【要約】【課題】リモコンを筐体から分離可能として撮影機能の充実を図ることができ、又、リモコン分離状態での消費電力を低減し得、且つ分離させたリモコンの戻し忘れをなくして紛失を防止し得る携帯端末装置を提供する。【解決手段】携帯端末装置１の上部筐体２ｂにおける背面側にカメラ等の撮像手段７を配設し、前記上部筐体２ｂに凹設した装着部８に対し、補助表示手段６が組み込まれたリモコン９を着脱自在に設け、該リモコン９は、分離時に前記上部筐体２ｂとの間で無線通信可能で且つ前記撮像手段７の操作スイッチとしてシャッターボタン１０及びズームボタン１１を有するようにした。【選択図】図１
2007005915.tif 000002
【特許請求の範囲】
【請求項１】
第一の筐体と、該第一の筐体に対し開閉可能とされた第二の筐体と、前記第一の筐体に対し第二の筐体を開いた際に露出されるよう第二の筐体に設けられた第一の表示手段と、前記第一の筐体に対する第二の筐体の開閉と無関係に露出されるよう第二の筐体に設けられる第二の表示手段とを有する携帯端末装置において、
前記第二の筐体における第二の表示手段が設けられる側に配設された撮像手段と、
前記第二の筐体に形成した装着部に対し着脱自在に設けられ、前記第二の表示手段が組み込まれると共に、前記第二の筐体との間で無線通信可能で、且つ前記撮像手段の操作スイッチとして少なくともシャッターボタンを有するリモコンと
を備えたことを特徴とする携帯端末装置。
【請求項２】
前記第二の筐体の装着部は、前記リモコンを収納する形状を有することを特徴とする請求項１記載の携帯端末装置。
【請求項３】
前記第二の表示手段には、前記無線通信を用いて前記撮像手段によって撮影された被写体が表示されることを特徴とする請求項１又は２記載の携帯端末装置。
【請求項４】
前記リモコンは、前記第二の表示手段に表示される被写体を拡大又は縮小するズームボタンを操作スイッチとして有することを特徴とする請求項３記載の携帯端末装置。
【請求項５】
前記リモコンを第二の筐体の装着部から分離させた際、少なくとも第一の表示手段及び第二の表示手段における消費電力を低減するためのユーザー設定可能な省エネモードに入るよう構成したことを特徴とする請求項１〜４のうちいずれか一つに記載の携帯端末装置。
【請求項６】
前記リモコンを第二の筐体の装着部から分離させ省エネモードに入っている状態で、撮像手段を起動した場合、第二の表示手段に対する省エネモードを解除するよう構成したことを特徴とする請求項５記載の携帯端末装置。
【請求項７】
前記リモコンを第二の筐体の装着部から分離させた際、予めユーザーによって設定された時間経過後にも前記リモコンが第二の筐体の装着部から分離されている場合、それをユーザーに通知するよう構成したことを特徴とする請求項１〜６のうちいずれか一つに記載の携帯端末装置。
【発明の詳細な説明】
【技術分野】
【０００１】
本発明は、携帯電話機やＰＨＳ等の移動通信機、或いはＰＤＡ（Personal Digital Assistant）や小型のノート型パソコンといった携帯端末装置に関するものである。
【背景技術】
【０００２】
近年、携帯電話機やＰＨＳ等の移動通信機、或いはＰＤＡや小型のノート型パソコンといった携帯端末装置が急速に普及してきている。
【０００３】
図８及び図９は従来の折畳式の携帯端末装置の一例を表わすものであって、１は携帯端末装置、２は携帯端末装置１の筐体であり、折畳式の携帯端末装置１は、筐体２を第一の筐体としての下部筐体２ａと第二の筐体としての上部筐体２ｂとに分割し、それらをヒンジ部３を介して開閉可能となるよう互いに回動自在に連結してなる構成を有している。
【０００４】
前記上部筐体２ｂの表面には、図８に示される如く、比較的大きな液晶ディスプレイ（ＬＣＤ：Liquid Crystal Display）等の第一の表示手段としての主表示手段４（メインＬＣＤ）が設けられる一方、前記下部筐体２ａには、多数のキー５が配置され且つバッテリー（図示せず）が内蔵されている。
【０００５】
又、前記上部筐体２ｂの背面には、図９に示される如く、比較的小さな液晶ディスプレイ等の第二の表示手段としての補助表示手段６（サブＬＣＤ）が設けられている。
【０００６】
前述の如き携帯端末装置１においては、図８に示される如く、筐体２を開いた状態では、主表示手段４に表示された内容をユーザーが確認でき、さまざまな情報が得られるようになっており、又、筐体２を閉じた状態では、補助表示手段６に、例えば、時刻、受信電波強度、バッテリー残量、メール及び着信の有無等が表示され、ユーザーが筐体２を開かなくても、ある程度の必要な情報が確認できるようになっている。
【０００７】
一方、最近では、カメラ等の撮像手段を有する携帯電話機が非常に増加しており、テレビ電話機能を装備したものも徐々に増えつつある。（例えば、特許文献１参照。）
【０００８】
特許文献１に示される携帯端末装置１は、図１０に示される如く、下部筐体２ａに対しヒンジ部３を介して開閉可能となるよう回動自在に連結された上部筐体２ｂに設けられた主表示手段４及びカメラ等の撮像手段７の部分を、テレビ電話としての映像機能を担う撮像・表示ユニットとして分離可能に構成したものである。
【０００９】
特許文献１に示される携帯端末装置１においては、テレビ電話として使用しない場合、前記上部筐体２ｂに設けられた主表示手段４及びカメラ等の撮像手段７の部分は分離せずにそのままとする一方、テレビ電話として使用する場合には、前記上部筐体２ｂに設けられた主表示手段４及びカメラ等の撮像手段７の部分を分離した状態で、主表示手段４に映し出される通話相手を見ながら、撮像手段７によって撮影される自分の映像を相手方に送信しつつ、通話を行うことができるようになっている。
【特許文献１】特開２００４−１２００５６号公報
【発明の開示】
【発明が解決しようとする課題】
【００１０】
しかしながら、従来におけるカメラ等の撮像手段を有する携帯端末装置１では、例えば、旅行先で風景をバックに自分と友人等を写すために、携帯端末装置１を手の届かない位置に設置してその画像を確認しながらシャッターを切ることは困難となっていた。
【００１１】
又、特許文献１に示される携帯端末装置１においては、上部筐体２ｂに設けられた主表示手段４及びカメラ等の撮像手段７の部分は分離できるようになっているものの、やはり前述と同様、携帯端末装置１を手の届かない位置に設置してその画像を確認しながらシャッターを切ることは困難となっていた。
【００１２】
更に、特許文献１に示される携帯端末装置１においては、上部筐体２ｂに設けられた主表示手段４及びカメラ等の撮像手段７の部分を分離させて使用した後、そのまま戻し忘れてしまうことがあり、この場合、ブルートゥース等で近距離無線通信が継続して行われているため、この処理によって消費電力が嵩んでしまう一方、分離させた部分を紛失してしまう虞もあった。
【００１３】
本発明は、斯かる実情に鑑み、リモコンを筐体から分離可能として撮影機能の充実を図ることができ、又、リモコン分離状態での消費電力を低減し得、且つ分離させたリモコンの戻し忘れをなくして紛失を防止し得る携帯端末装置を提供しようとするものである。
【課題を解決するための手段】
【００１４】
本発明は、第一の筐体と、該第一の筐体に対し開閉可能とされた第二の筐体と、前記第一の筐体に対し第二の筐体を開いた際に露出されるよう第二の筐体に設けられた第一の表示手段と、前記第一の筐体に対する第二の筐体の開閉と無関係に露出されるよう第二の筐体に設けられる第二の表示手段とを有する携帯端末装置において、
前記第二の筐体における第二の表示手段が設けられる側に配設された撮像手段と、
前記第二の筐体に形成した装着部に対し着脱自在に設けられ、前記第二の表示手段が組み込まれると共に、前記第二の筐体との間で無線通信可能で、且つ前記撮像手段の操作スイッチとして少なくともシャッターボタンを有するリモコンと
を備えたことを特徴とする携帯端末装置にかかるものである。
【００１５】
前記携帯端末装置においては、前記第二の筐体の装着部は、前記リモコンを収納する形状を有するようにすることができる。
【００１６】
又、前記第二の表示手段には、前記無線通信を用いて前記撮像手段によって撮影された被写体が表示されるようにすることが望ましい。
【００１７】
更に又、前記リモコンは、前記第二の表示手段に表示される被写体を拡大又は縮小するズームボタンを操作スイッチとして有することが望ましい。
【００１８】
そして、前記リモコンを第二の筐体の装着部から分離させた際、少なくとも第一の表示手段及び第二の表示手段における消費電力を低減するためのユーザー設定可能な省エネモードに入るよう構成することが有効となる。
【００１９】
このとき、前記リモコンを第二の筐体の装着部から分離させ省エネモードに入っている状態で、撮像手段を起動した場合、第二の表示手段に対する省エネモードを解除するよう構成しても良い。
【００２０】
又、前記リモコンを第二の筐体の装着部から分離させた際、予めユーザーによって設定された時間経過後にも前記リモコンが第二の筐体の装着部から分離されている場合、それをユーザーに通知するよう構成することが望ましい。
【発明の効果】
【００２１】
本発明の携帯端末装置によれば、リモコンを筐体から分離可能として撮影機能の充実を図ることができ、又、リモコン分離状態での消費電力を低減し得、且つ分離させたリモコンの戻し忘れをなくして紛失を防止し得るという優れた効果を奏し得る。
【発明を実施するための最良の形態】
【００２２】
以下、本発明の実施の形態を添付図面を参照して説明する。
【００２３】
図１〜図７は本発明を実施する形態の一例であって、図中、図８〜図１０と同一の符号を付した部分は同一物を表わしており、携帯端末装置１の第二の筐体としての上部筐体２ｂにおける背面側にカメラ等の撮像手段７を配設し、前記上部筐体２ｂに凹設した装着部８に対し、第二の表示手段としての補助表示手段６（サブＬＣＤ）が組み込まれたリモコン９を着脱自在に設けたものであり、該リモコン９は、分離時に前記上部筐体２ｂとの間でブルートゥースや赤外線通信等により無線通信可能で且つ前記撮像手段７の操作スイッチとしてシャッターボタン１０及びズームボタン１１を有するようにしてある。
【００２４】
前記携帯端末装置１の本体側の制御系統は、図２に示す如く、制御回路１２に対し、第一の表示手段としての主表示手段４、キー５、スピーカ１３、マイク１４、撮像手段７、バッテリー１５、充電回路１６、対基地局無線通信用回路１７、直結時用インターフェース部１８、近距離無線通信用回路１９を接続して構成されており、又、前記リモコン９側の制御系統は、制御回路２０に対し、第二の表示手段としての補助表示手段６、操作スイッチとしてのシャッターボタン１０及びズームボタン１１、バッテリー２１、直結時用インターフェース部２２、近距離無線通信用回路２３を接続して構成されている。
【００２５】
前記携帯端末装置１の本体側における対基地局無線通信用回路１７は、制御回路１２により制御されて携帯電話基地局との間で携帯電話としての無線通信を行うために設けられたものであり、前記携帯端末装置１の本体側の近距離無線通信用回路１９は、図１（ｂ）に示すように前記携帯端末装置１の本体側からリモコン９を分離した時に制御回路１２によって制御されて、該リモコン９側の近距離無線通信用回路２３との間でのデータ通信を行うために設けられたものである。又、前記携帯端末装置１の本体側の直結時用インターフェース部１８は、電気接点を持ったコネクタとなっており、図１（ａ）に示すように前記携帯端末装置１の本体側の装着部８にリモコン９を組み込んで使用する際に、該リモコン９側の直結時用インターフェース部２２と直接接続されるようになっている。
【００２６】
前記携帯端末装置１の本体側は、バッテリー１５により外部からの電源供給なしに動作できる構成となっており、又、充電回路１６は、前記携帯端末装置１の本体側の装着部８にリモコン９を組み込んだ際、該リモコン９側のバッテリー２１と接続され、本体側のバッテリー１５の電力を使用して、リモコン９側のバッテリー２１を充電できるようになっている。
【００２７】
尚、キー５によって入力されるユーザーの操作は、制御回路１２によって処理され、必要に応じて、主表示手段４の制御や撮像手段７の制御が行われるようになっており、スピーカ１３とマイク１４は主に携帯電話としての音声通話に使われるようになっている。
【００２８】
一方、前記リモコン９が前記携帯端末装置１の本体側から分離され、撮像手段７が起動されているときには、該撮像手段７で撮影された画像が、前記携帯端末装置１の本体側の制御回路１２で処理され、近距離無線通信用回路１９と近距離無線通信用回路２３を介してリモコン９側の制御回路２０に送信され、補助表示手段６に表示する処理が行われるようになっており、このとき、リモコン９側に設けられた操作スイッチとしてのシャッターボタン１０を押せば、前記撮像手段７のシャッターが切られると共に、ズームボタン１１を押せば、画像の拡大・縮小が行われるようになっている。
【００２９】
そして、前記リモコン９を第二の筐体としての上部筐体２ｂの装着部８から分離させた際（無線接続時）、少なくとも主表示手段４及び補助表示手段６における消費電力を低減するためのユーザー設定可能な省エネモードに入るよう構成してある。
【００３０】
図３はリモコン９無線接続時の主表示手段４（メインＬＣＤ）の省エネモード設定操作手順を示す画面遷移図であって、メニュー画面Ａにおいて、８番の「無線接続時設定」を選択した場合、無線接続時設定画面Ｂとなり、該無線接続時設定画面Ｂにおいて、１番の「ライト設定」を選択した場合、ライト設定画面Ｃとなり、該ライト設定画面Ｃにおいて、１番の「メインＬＣＤ設定」を選択した場合、メインＬＣＤ設定画面Ｄとなり、該メインＬＣＤ設定画面Ｄにおいて、１番の「メインＬＣＤ表示」を選択した場合、メインＬＣＤ表示画面Ｅとなり、該メインＬＣＤ表示画面Ｅにおいて、２番の「ＯＦＦ」を選択した場合、同時に、バックライト点灯は「ＯＦＦ」、バックライト輝度は「０」になり、設定完了となるようにしてある。前記メインＬＣＤ設定画面Ｄにおいて、２番の「バックライト点灯」を選択した場合、バックライト点灯画面Ｆとなり、該バックライト点灯画面Ｆにおいて、１番の「ＯＮ」を選択した場合、バックライト点灯時間画面Ｇとなり、該バックライト点灯時間画面Ｇにおいて、バックライト点灯時間を設定（図３の例では３［ｓｅｃ］）して決定した場合、設定完了となり、この場合、設定した時間が経過すると、主表示手段４（メインＬＣＤ）のバックライトがＯＦＦとなるようにしてある。前記メインＬＣＤ設定画面Ｄにおいて、３番の「バックライト輝度」を選択した場合、バックライト輝度画面Ｈとなり、該バックライト輝度画面Ｈにおいて、バックライト輝度を設定（図３の例では段階を２）して決定した場合、設定完了となり、この場合、設定した輝度で主表示手段４（メインＬＣＤ）のバックライトが点灯するようにしてある。
【００３１】
図４はリモコン９無線接続時の補助表示手段６（サブＬＣＤ）の省エネモード設定操作手順を示す画面遷移図であって、メニュー画面Ａにおいて、８番の「無線接続時設定」を選択した場合、無線接続時設定画面Ｂとなり、該無線接続時設定画面Ｂにおいて、１番の「ライト設定」を選択した場合、ライト設定画面Ｃとなり、該ライト設定画面Ｃにおいて、２番の「サブＬＣＤ設定」を選択した場合、サブＬＣＤ設定画面Ｉとなり、該サブＬＣＤ設定画面Ｉにおいて、１番の「サブＬＣＤ表示」を選択した場合、サブＬＣＤ表示画面Ｊとなり、該サブＬＣＤ表示画面Ｊにおいて、２番の「ＯＦＦ」を選択した場合、同時に、バックライト点灯は「ＯＦＦ」、バックライト輝度は「０」になり、設定完了となるようにしてある。前記サブＬＣＤ設定画面Ｉにおいて、２番の「バックライト点灯」を選択した場合、バックライト点灯画面Ｋとなり、該バックライト点灯画面Ｋにおいて、１番の「ＯＮ」を選択した場合、バックライト点灯時間画面Ｌとなり、該バックライト点灯時間画面Ｌにおいて、バックライト点灯時間を設定（図４の例では３［ｓｅｃ］）して決定した場合、設定完了となり、この場合、設定した時間が経過すると、補助表示手段６（サブＬＣＤ）のバックライトがＯＦＦとなるようにしてある。前記サブＬＣＤ設定画面Ｉにおいて、３番の「バックライト輝度」を選択した場合、バックライト輝度画面Ｍとなり、該バックライト輝度画面Ｍにおいて、バックライト輝度を設定（図４の例では段階を２）して決定した場合、設定完了となり、この場合、設定した輝度で補助表示手段６（サブＬＣＤ）のバックライトが点灯するようにしてある。
【００３２】
図５はリモコン９無線接続時のキー５のバックライトの省エネモード設定操作手順を示す画面遷移図であって、メニュー画面Ａにおいて、８番の「無線接続時設定」を選択した場合、無線接続時設定画面Ｂとなり、該無線接続時設定画面Ｂにおいて、１番の「ライト設定」を選択した場合、ライト設定画面Ｃとなり、該ライト設定画面Ｃにおいて、３番の「キーバックライト設定」を選択した場合、キーバックライト設定画面Ｎとなり、該キーバックライト設定画面Ｎにおいて、１番の「キーバックライト点灯」を選択した場合、キーバックライト点灯画面Ｏとなり、該キーバックライト点灯画面Ｏにおいて、２番の「ＯＦＦ」を選択した場合、同時に、キーバックライト輝度は「０」になり、設定完了となるようにしてある。前記キーバックライト点灯画面Ｏにおいて、１番の「ＯＮ」を選択した場合、キーバックライト点灯時間画面Ｐとなり、該キーバックライト点灯時間画面Ｐにおいて、キーバックライト点灯時間を設定（図５の例では３［ｓｅｃ］）して決定した場合、設定完了となり、この場合、設定した時間が経過すると、キーバックライトがＯＦＦとなるようにしてある。前記キーバックライト設定画面Ｎにおいて、２番の「キーバックライト輝度」を選択した場合、キーバックライト輝度画面Ｑとなり、該キーバックライト輝度画面Ｑにおいて、キーバックライト輝度を設定（図５の例では段階を２）して決定した場合、設定完了となり、この場合、設定した輝度でキー５のバックライトが点灯するようにしてある。
【００３３】
又、前記リモコン９を第二の筐体としての上部筐体２ｂの装着部８から分離させた際（無線接続時）、予めユーザーによって設定された時間経過後にも前記リモコン９が上部筐体２ｂの装着部８から分離されている場合、それをユーザーに通知するよう構成してある。
【００３４】
図６はリモコン９無線接続時のタイマー設定操作手順を示す画面遷移図であって、メニュー画面Ａにおいて、８番の「無線接続時設定」を選択した場合、無線接続時設定画面Ｂとなり、該無線接続時設定画面Ｂにおいて、２番の「タイマー設定」を選択した場合、タイマー設定画面Ｒとなり、該タイマー設定画面Ｒにおいて、１番の「アラームスタート時間」を選択した場合、アラームスタート時間画面Ｓとなり、該アラームスタート時間画面Ｓにおいて、アラームスタート時間を設定（図６の例では３０［分］）して決定した場合、設定完了となり、この場合、設定した時間が経過すると、お知らせが開始されるようにしてある。前記タイマー設定画面Ｒにおいて、２番の「鳴動時間」を選択した場合、鳴動時間画面Ｔとなり、該鳴動時間画面Ｔにおいて、鳴動時間を設定（図６の例では１０［分］）して決定した場合、設定完了となり、この場合、設定した時間、鳴動するようにしてある。前記タイマー設定画面Ｒにおいて、３番の「お知らせ方法」を選択した場合、お知らせ方法画面Ｕとなり、該お知らせ方法画面Ｕにおいて、お知らせ方法を設定（図６の例では「アラーム鳴動」）して決定した場合、設定完了となり、この場合、設定した方法（「アラーム鳴動」）にてお知らせが行われるようにしてある。
【００３５】
更に又、前記リモコン９を第二の筐体としての上部筐体２ｂの装着部８から分離させ省エネモードに入っている状態で、撮像手段７を起動した場合、補助表示手段６に対する省エネモードを解除するよう構成してある。このようにしている理由は、リモコン９使用時に補助表示手段６の表示が省エネモード設定によって「ＯＦＦ」になっていると、撮像手段７で捉えた画像を確認しながらズームボタン１１で画像の拡大・縮小を行いシャッターボタン１０を押してシャッターを切ることができなくなってしまうため、これを避けるためである。
【００３６】
図７はリモコン９無線接続時の制御フローチャートであって、先ず、ステップＳ１として前記携帯端末装置１を起動した状態で、ステップＳ２として省エネモード設定（図３〜図５参照）を行った後、ステップＳ３としてリモコン９が上部筐体２ｂの装着部８から分離されたか否かを判定し、分離されている場合には、ステップＳ４としてタイマーをリセットし、ステップＳ５としてタイマーをスタートさせ、ステップＳ６として省エネモードに入り、ステップＳ７としてカメラ等の撮像手段７が起動されたか否かを判定し、起動されていない場合には前記ステップＳ６に戻り、起動されている場合には、ステップＳ８として補助表示手段６（サブＬＣＤ）に対する省エネモードを解除し、この後、ステップＳ９としてカメラ等の撮像手段７の利用が終了したか否かを判定し、利用が終了している場合には、ステップＳ１０として省エネモードを再開し、続いて、ステップＳ１１として前記リモコン９が上部筐体２ｂの装着部８に再装着されたか否かを判定し、再装着されていない場合には、前記ステップＳ６に戻り、再装着されている場合には、ステップＳ１２として省エネモードを解除し、ステップＳ１３としてタイマーをストップさせ、ステップＳ１４として前記携帯端末装置１の使用が終了したか否か（電源ボタンが長押しされたか否か）を判定し、終了でなければ前記ステップＳ３の前まで戻り、終了であるならば、ステップＳ１５として前記携帯端末装置１を「ＯＦＦ」とするようにしてある。
【００３７】
前記ステップＳ５としてタイマーをスタートさせた後、前記ステップＳ６へ進むのと並行して、タイマーによるカウントが開始され、ステップＳ１６として「タイマー＝設定値」となった場合、即ち図６のアラームスタート時間画面Ｓで設定した時間が経過した場合、ステップＳ１７として前記リモコン９がこの時点で上部筐体２ｂの装着部８から分離されているか否かを判定し、分離されている場合には、ステップＳ１８としてアラームが鳴るか或いはバイブレータが動作しユーザーへの通知が行われるようにしてある。
【００３８】
前述の如く構成すると、図１（ａ）に示す如く、前記携帯端末装置１の本体側の装着部８にリモコン９を一体に装着した状態では、携帯端末装置１を通常の携帯電話として使用することができる。
【００３９】
これに対し、図１（ｂ）に示す如く、前記携帯端末装置１の本体側の装着部８からリモコン９を分離させた状態で、カメラ等の撮像手段７を起動すると、例えば、旅行先で風景をバックに自分と友人等を写すために、携帯端末装置１を手の届かない位置に設置しても、前記撮像手段７で捉えた画像をリモコン９の補助表示手段６の画面で確認しながらズームボタン１１で画像の拡大・縮小を行いシャッターボタン１０を押してシャッターを切ることが可能となる。
【００４０】
又、図１（ｂ）に示す如く、前記携帯端末装置１の本体側の装着部８からリモコン９を分離させると、主表示手段４（メインＬＣＤ）の表示に関しては、図３に示すようにユーザーによって設定された省エネモードに入り、リモコン９の補助表示手段６（サブＬＣＤ）の表示に関しては、図４に示すようにユーザーによって設定された省エネモードに入り、キー５のバックライトに関しては、図５に示すようにユーザーによって設定された省エネモードに入り、これにより、消費電力を抑えることが可能となる。
【００４１】
但し、前記リモコン９を上部筐体２ｂの装着部８から分離させ省エネモードに入っている状態であっても、撮像手段７を起動した場合には、補助表示手段６（サブＬＣＤ）に対する省エネモードは、図７のステップＳ８で示すように解除されるため、撮像手段７で捉えた画像を確認しながらズームボタン１１で画像の拡大・縮小を行いシャッターボタン１０を押してシャッターを切るといった操作をする上で、支障をきたす心配はない。
【００４２】
更に又、図１（ｂ）に示す如く、前記携帯端末装置１の本体側の装着部８からリモコン９を分離させて使用した後、そのまま戻し忘れてしまったとしても、図６に示すアラームスタート時間画面Ｓで設定した時間が経過すると、図７のステップＳ１８で示すようにアラームが鳴るか或いはバイブレータが動作しユーザーへの通知が行われるため、ユーザーは前記リモコン９の戻し忘れを認識でき、該リモコン９を前記携帯端末装置１の本体側の装着部８に戻すことにより、ブルートゥースや赤外線通信等で近距離無線通信が長時間継続して行われてしまうことが防止され、消費電力が嵩んでしまうことが避けられると共に、分離させたリモコン９を紛失してしまう心配もなくなる。
【００４３】
こうして、リモコン９を筐体２から分離可能として撮影機能の充実を図ることができ、又、リモコン９分離状態での消費電力を低減し得、且つ分離させたリモコン９の戻し忘れをなくして紛失を防止し得る。
【００４４】
尚、本発明の携帯端末装置は、上述の図示例にのみ限定されるものではなく、本発明の要旨を逸脱しない範囲内において種々変更を加え得ることは勿論である。
【図面の簡単な説明】
【００４５】
【図１】本発明を実施する形態の一例を示す斜視図であって、（ａ）はリモコンを筐体にセットした状態を示す図、（ｂ）はリモコンを筐体から分離した状態を示す図である。
【図２】本発明を実施する形態の一例における携帯端末装置の本体側の制御系統とリモコン側の制御系統を示すブロック図である。
【図３】本発明を実施する形態の一例におけるリモコン無線接続時の主表示手段の省エネモード設定操作手順を示す画面遷移図である。
【図４】本発明を実施する形態の一例におけるリモコン無線接続時の補助表示手段の省エネモード設定操作手順を示す画面遷移図である。
【図５】本発明を実施する形態の一例におけるリモコン無線接続時のキーバックライトの省エネモード設定操作手順を示す画面遷移図である。
【図６】本発明を実施する形態の一例におけるリモコン無線接続時のタイマー設定操作手順を示す画面遷移図である。
【図７】本発明を実施する形態の一例におけるリモコン無線接続時の制御フローチャートである。
【図８】従来の折畳式の携帯端末装置の一例において、筐体を開いた状態を示す斜視図である。
【図９】従来の折畳式の携帯端末装置の一例において、筐体を閉じた状態を示す斜視図である。
【図１０】従来の折畳式の携帯端末装置の他の例を示す斜視図である。
【符号の説明】
【００４６】
１    携帯端末装置
２ａ  下部筐体（第一の筐体）
２ｂ  上部筐体（第二の筐体）
４    主表示手段（第一の表示手段）
６    補助表示手段（第二の表示手段）
７    撮像手段
８    装着部
９    リモコン
１０    シャッターボタン
１１    ズームボタン
【図１】
2007005915.tif 000003
【図２】
2007005915.tif 000004
【図３】
2007005915.tif 000005
【図４】
2007005915.tif 000006
【図５】
2007005915.tif 000007
【図６】
2007005915.tif 000008
【図７】
2007005915.tif 000009
【図８】
2007005915.tif 000010
【図９】
2007005915.tif 000011
【図１０】
2007005915.tif 000012